(57)【要約】【課題】金属板材を成形してなり、複数の外壁板をこれらの外壁板の端部を互いに突き合わせた状態で建物躯体に取り付ける外壁板取付金具において、外壁板を柔軟に支持し、強風等により外壁板に大きな力が作用しても、外壁板が割れてしまう虞を低減するとともに、大きな地震等により大きな衝撃が作用しても、その衝撃を吸収できるようにし、しかも必要な部分には大きな強度および剛性を確保する。【解決手段】建物躯体３側に凹陥するようにプレス絞り加工されており、建物躯体３に取り付けられる主部４と、外壁板２の裏面に当接される外壁板裏面当接部６，８と、主部４の一端の開口縁部またはその付近から壁面と平行になる方向かつ主部４の反対側端に向かって突出する係合部支持部８とを設け、この係合部支持部８の先端部に、外壁板２の端部に係合される外壁板係合部９をさらに設ける。【選択図】図１２
2014001535.tif 000002
【特許請求の範囲】
【請求項１】
金属板材を成形してなり、複数の外壁板をこれらの外壁板の端部を互いに突き合わせた状態で建物躯体に取り付ける外壁板取付金具において、
前記建物躯体側に凹陥するようにプレス絞り加工により形成されており、前記建物躯体に直接または介装材を介して取り付けられる主部と、
前記外壁板の裏面に当接される外壁板裏面当接部と、
前記主部外において、前記主部の一端の開口縁部またはその付近から前記外壁板によって構成されるべき壁面と平行になる方向かつ前記主部の反対側端に向かって突出する係合部支持部と、
この係合部支持部の先端部に設けられた外壁板係合部とを有してなり、
前記外壁板係合部は、前記係合部支持部の先端部から前記建物躯体と反対側に突出するように折り曲げられた前方突出部と、この前方突出部の先端部から互いに反対側にそれぞれ折り曲げられた第一の折り曲げ部および第二の折り曲げ部とを有し、
互いに突き合わされる前記外壁板の端部は、前記第二の折り曲げ部と前記前方突出部と前記外壁板裏面当接部との間および前記第一の折り曲げ部と前記前方突出部と前記外壁板裏面当接部との間にそれぞれ挿入されて前記外壁板係合部に係合され、前記外壁板同士の突き合わせ部に前記前方突出部が介在された状態となるようになっている外壁板取付金具。
【請求項２】
前記主部の開口縁部と前記係合部支持部との間に介在された、前記主部外において前記主部の周壁部と同一平面をなす係合部側周壁延長部をさらに有する請求項１記載の外壁板取付金具。
【請求項３】
前記主部に設けられており、当該外壁板取付金具を建物躯体側にビス留めするためのビス穴または（および）釘留めするための釘穴をさらに有する請求項１または２記載の外壁板取付金具。
【請求項４】
前記主部のうちの最も前記建物躯体側に落ち込んでいる部分は平面状の基板部を構成しており、前記主部は前記基板部を前記建物躯体自体または前記介装材に沿わされた状態で、前記建物躯体に直接または前記介装材を介して取り付けられるようになっている請求項１乃至３のいずれか１項に記載の外壁板取付金具。
【請求項５】
前記主部外かつ前記主部の両側に設けられており、前記外壁板によって構成されるべき壁面と平行をなす平面状をなし、前記外壁板裏面当接部を構成する開き部をさらに有し、前記外壁板係合部は前記両側の前記開き部間に位置している請求項１乃至４のいずれか１項に記載の外壁板取付金具。
【請求項６】
前記主部は全周に周壁部を有している請求項１乃至５のいずれか１項に記載の外壁板取付金具。
【請求項７】
前記主部は周壁部が存在しない部分を一部に有している請求項１乃至５のいずれか１項に記載の外壁板取付金具。
【発明の詳細な説明】
【技術分野】
【０００１】
本発明は、パネル状をなす外壁板（外壁材、外装材等と称されることもある）を建物躯体に取り付けるための外壁板取付金具に関する。
【背景技術】
【０００２】
近年においては、外壁板を建物躯体に取り付ける工法としては、外壁板を取付金具を介して建物躯体に取り付ける工法が一般的となっている。
【０００３】
本出願人は、先に特許文献１において、プレス絞り加工部を設けることにより、強度および剛性を従来より著しく高めることができ、施工時に大きな力が作用されたり、施工後、風や地震等により大きな力が作用しても変形し難く、外壁板の取付状態に異常を生じにくい、外壁板等のパネル状材の取付金具を提案した。
【先行技術文献】
【特許文献】
【０００４】
【特許文献１】特許第２９６８２７１号公報
【特許文献２】特開２０１２−１１２２２０号公報
【発明の概要】
【発明が解決しようとする課題】
【０００５】
しかしながら、前記本出願人が特許文献１において提案した外壁板取付金具においては、該金具が外壁板を剛に支持するため、強風等により外壁板に大きな力が作用したとき、外壁板が割れてしまったり、大きな地震等により大きな衝撃が作用した際、その衝撃を吸収することができない場合がある等の問題があった。
【０００６】
また、本出願人は、特許文献１において提案した外壁板取付金具の問題を解消できる外壁板取付金具を特許文献２において提案したが、未だ問題の解消が十分でない点があった。
【０００７】
本発明は、このような従来の事情に鑑みてなされたもので、本発明の目的の一つは、外壁板を柔軟に支持することにより、強風等により外壁板に大きな力が作用しても、外壁板が割れてしまう虞を低減するとともに、大きな地震等により大きな衝撃が作用しても、その衝撃を吸収することができ、しかも取付金具のうちの大きな強度および剛性が必要とされる部分には、要求される通りに大きな強度および剛性を確保することができる外壁板取付金具を提供することにある。
【０００８】
本発明の他の目的は、以下の説明から明らかになろう。
【課題を解決するための手段】
【０００９】
本発明による外壁板取付金具は、
金属板材を成形してなり、複数の外壁板をこれらの外壁板の端部を互いに突き合わせた状態で建物躯体に取り付ける外壁板取付金具において、
前記建物躯体側に凹陥するようにプレス絞り加工により形成されており、前記建物躯体に直接または介装材を介して取り付けられる主部と、
前記外壁板の裏面に当接される外壁板裏面当接部と、
前記主部外において、前記主部の一端の開口縁部またはその付近から前記外壁板によって構成されるべき壁面と平行になる方向かつ前記主部の反対側端に向かって突出する係合部支持部と、
この係合部支持部の先端部に設けられた外壁板係合部とを有してなり、
前記外壁板係合部は、前記係合部支持部の先端部から前記建物躯体と反対側に突出するように折り曲げられた前方突出部と、この前方突出部の先端部から互いに反対側にそれぞれ折り曲げられた第一の折り曲げ部および第二の折り曲げ部とを有し、
互いに突き合わされる前記外壁板の端部は、前記第二の折り曲げ部と前記前方突出部と前記外壁板裏面当接部との間および前記第一の折り曲げ部と前記前方突出部と前記外壁板裏面当接部との間にそれぞれ挿入されて前記外壁板係合部に係合され、前記外壁板同士の突き合わせ部に前記前方突出部が介在された状態となるようになっているものである。
【００１０】
前記特許文献１の外壁板取付金具を含め、従来の外壁板取付金具においては、外壁板係合部は、その前方突出部が取付金具の強度上の主要構成部分から直接折り曲げられて、建物躯体と反対側に突出していたので、外壁板の厚さ方向および外壁板の突き合わせ方向となる方向に関する柔軟性が乏しかった。また、特許文献２の取付金具においては、取付金具の強度上の主要構成部分である絞り加工された主部と外壁板係合部の前方突出部との間に係合部支持部が介在されているが、この係合部支持部は外壁板を柔軟に支持することには寄与していなかった。
【００１１】
しかるに、この外壁板取付金具においては、取付金具の強度上の主要構成部分である主部の一端の開口縁部付近から外壁板によって構成されるべき壁面と平行になる方向かつ主部の反対側端に向かって突出する係合部支持部が設けられており、前方突出部は主部から直接ではなく、この係合部支持部の先端部から建物躯体と反対側に突出するように折り曲げられているので、係合部支持部が主部側の端部付近を中心として弾性曲げ変形することにより、外壁板係合部は外壁板の厚さ方向に弾性変位できる。さらに係合部支持部の彎曲等の他の形式の弾性変形や、前方突出部の弾性変形のため、外壁板係合部は外壁板の突き合わせ方向（本実施例の場合、鉛直方向）にも弾性変位できる。したがって、外壁板係合部は外壁板の厚さ方向および突き合わせ方向に関し外壁板を柔軟に支持するので、強風等により外壁板に大きな力が作用しても、外壁板が割れてしまう虞を低減するとともに、大きな地震等により大きな衝撃が作用しても、その衝撃を吸収することができる。
【００１２】
そして、その一方、取付金具の強度上の主要構成部分であり、建物躯体に直接または介装材を介して取り付けられる主部はプレス絞り加工により形成されているので、取付金具のうちの大きな強度および剛性が必要とされる部分には、要求される通りに大きな強度および剛性を確保することができる。
【発明の効果】
【００１３】
本発明の外壁板取付金具は、外壁板をその厚さ方向および突き合わせ方向に柔軟に支持することにより、強風等により外壁板に大きな力が作用しても、外壁板が割れてしまう虞を低減するとともに、大きな地震等により大きな衝撃が作用しても、その衝撃を吸収することができ、しかも取付金具のうちの大きな強度および剛性が必要とされる部分には、要求される通りに大きな強度および剛性を確保することができる等の優れた効果を得られるものである。
【図面の簡単な説明】
【００１４】
【図１】本発明による外壁板取付金具の実施例１を示す斜視図である。
【図２】実施例１の取付金具を他の方向から見た斜視図である。
【図３】実施例１の取付金具において、主部（プレス絞り加工部分）の範囲を明確にするため、図１の斜視図において、主部に網線を施した図である。
【図４】実施例１の取付金具において、主部（プレス絞り加工部分）の範囲を明確にするため、図２の斜視図において、主部に網線を施した図である。
【図５】実施例１の取付金具を示す正面図である。
【図６】実施例１の取付金具を示す側面図である。
【図７】実施例１の取付金具を示す平面図である。
【図８】実施例１の取付金具を示す底面図である。
【図９】図５のＩＸ−ＩＸ線における断面図である。
【図１０】図５のＸ−Ｘ線における断面図である。
【図１１】実施例１の取付金具を用いた外壁板の取付作業の一例において、下段側の外壁板の上端部に係合した外壁板取付金具をビス止めする前の状態を示す断面図である。
【図１２】前記外壁板の取付作業例において、ビス止めを完了した後、上段側の外壁板の下端部を外壁板取付金具に係合した状態を示す断面図である。
【図１３】本発明による外壁板取付金具の実施例２を示す斜視図である。
【図１４】実施例２の取付金具において、主部（プレス絞り加工部分）の範囲を明確にするため、図１３の斜視図において主部に網線を施した図である。
【図１５】実施例２の取付金具を示す正面図である。
【図１６】実施例２の取付金具を示す側面図である。
【図１７】実施例２の取付金具を示す平面図である。
【図１８】実施例２の取付金具を用いた外壁板の取付作業の一例において、ビス止めを完了した後、上段側の外壁板の下端部を外壁板取付金具に係合した状態を示す断面図である。
【図１９】本発明による外壁板取付金具の実施例３を示す斜視図である。
【図２０】実施例３の取付金具を他の方向から見た斜視図である。
【図２１】実施例３の取付金具において、主部（プレス絞り加工部分）の範囲を明確にするため、図１９の斜視図において、主部に網線を施した図である。
【図２２】実施例３の取付金具において、主部（プレス絞り加工部分）の範囲を明確にするため、図２０の斜視図において、主部に網線を施した図である。
【図２３】実施例３の取付金具を示す正面図である。
【図２４】実施例１の取付金具を示す側面図である。
【図２５】実施例３の取付金具を示す平面図である。
【図２６】実施例３の取付金具を示す底面図である。
【図２７】図２３のＸＸＶＩＩ−ＸＸＶＩＩ線における断面図である。
【図２８】図２３のＸＸＶＩＩＩ−ＸＸＶＩＩＩ線における断面図である。
【図２９】実施例３の取付金具を用いた外壁板の取付作業の一例において、ビス止めを完了した後、上段側の外壁板の下端部を外壁板取付金具に係合した状態を示す断面図である。
【発明を実施するための形態】
【００１５】
以下、本発明を図面に示す実施例に基づいて説明する。
【実施例１】
【００１６】
図１〜１０は本発明による外壁板取付金具１の実施例１、図１１および１２は該実施例１の取付金具１を用いた外壁板２の取付構造の一例を示している。
【００１７】
なお、外壁板２を建物躯体３（図１１および１２参照）に取り付ける際には、一般に、外壁板２を横長とし、各外壁板２の上端部と下端部とを突き合わせて、順次下段側から上段側へと外壁板２を取り付けて行く方法（所謂横貼り）と、外壁板２を縦長とし、各外壁板２の左端部と右端部とを突き合わせて、順次左から右または右から左側に外壁板２を取り付けて行く方法（所謂縦貼り）とがある。以下の各実施例の説明においては、所謂横貼りを行う場合を基準として取付金具１の上下左右方向を説明するが、所謂縦貼りを行う場合は、取付金具１の向きが９０度回転される（横貼りの場合の取付金具１の上下が縦貼りの場合には左右になり、横貼りの場合の取付金具１の左右が縦貼りの場合には上下になる）ことになるので注意されたい。
【００１８】
外壁板取付金具１は、鋼板、ステンレス鋼板、アルミニウム合金板等からなる１枚の金属板をプレス加工により成形してなり、主部４と、１対の開き部側周壁延長部５と、１対の開き部６と、係合部側周壁延長部７と、係合部支持部８と、外壁板係合部９とを一体的に有している。前記主部４は、プレス絞り加工により形成されており、取付金具１が建物躯体３（図１１および１２参照）に直接、または下地材もしくは断熱材等の介装材１０を介して取り付けられた際、建物躯体３側となる方向に凹陥している。図３および４は、本実施例における主部４（プレス絞り加工部分）の範囲を明確にするため、取付金具１の斜視図において、主部４に網線を施した図である。この主部４は、該主部４のうちの建物躯体３側に最も落ち込んでいる部分である平面状かつ大略矩形状の基板部４ａと、この基板部４ａの周囲全周から建物躯体３と反対側となる向きに立ち上がる周壁部４ｂとを一体的に有している。
【００１９】
前記基板部４ａには、ビス穴１１が設けられている。取付金具１は、基板部４ａを建物躯体３自体または胴縁あるいは間柱等の下地材もしくは断熱材等の介装材１０に沿わされた状態で、ビス穴１１を用いてビス留めされることにより、直接または介装材１０を介して直接建物躯体３に取り付けられるようになっている。前記周壁部４のうちの下部部分には水抜き穴２０が設けられている。この水抜き穴２０は、主部４が絞り加工された後、ブレス打ち抜き加工により形成されている。
【００２０】
前記主部４の周壁部４ｂの左右部分のうちの取付金具１の上端部付近を除く部分の主部４開口部側には、開き部側周壁延長部５が連続して設けられいる。この開き部側周壁延長部５は、周壁部４ｂの左右部分と同一平面をなしている。前記主部４の周壁部４ｂのうちの下側部分の主部４開口部側には、係合部側周壁延長部７が連続して設けられている。この係合部側周壁延長部７は主部４の周壁部４ｂの下側部分と同一平面をなしている。前記開き部側周壁延長部５と係合部側周壁延長部７との間には、切れ目部１２が設けられている。この切れ目部１２は、主部４の絞り加工を行う前に、取付金具１のブランク（素材金属板）の外周の対応する位置に外周から内部側に向かって入り込む対応する形状の凹部を設けておくことにより形成されている。前記主部４の周壁部４ｂの左右部分のうちの取付金具１の上端部付近には、開き部側周壁延長部５は設けられておらず、傾斜部分を含む段付き状に高さを低くされている。
【００２１】
前記開き部側周壁延長部５と係合部側周壁延長部７とが切れ目部１２により互いに分離されているとともに、開き部側周壁延長部５の上端（係合部側周壁延長部７と反対の端）は他の部分に連続することなく、終端しているので、開き部側周壁延長部５および係合部側周壁延長部７は絞り加工を受けておらず、主部４外の部分となっている。
【００２２】
前記１対の開き部６は、プレス折り曲げ加工により各開き部側周壁延長部５から直角外側に折り曲げられることにより、各開き部側周壁延長部５の建物躯体３と反対側の先端部に設けられている。前記１対の開き部６は、基板部４ａと平行をなす平面状をなしている（したがって、取付後は、外壁板２によって構成されるべき壁面と平行をなす平面状となっている）。前記係合部支持部８は、係合部側周壁延長部７の先端からプレス折り曲げ加工により直角に折り曲げられて基板部４ａと平行になる方向（前記外壁板２によって構成されるべき壁面と平行になる方向）かつ主部４の反対側端（主部４の上端）に向かって突出している。本実施例においては、前記左右の開き部６および係合部支持部８は、本発明において外壁板２の裏面に当接される外壁板裏面当接部を構成している。
【００２３】
前記外壁板係合部９は、係合部支持部８の先端部（上端部）に設けられており、前方突出部１３と、第一の折り曲げ部１４と、第二の折り曲げ部１５とを有してなる。前記前方突出部１３は、プレス折り曲げ加工により係合部支持部８の先端部から建物躯体３と反対側に突出するように折り曲げられている。前記第一の折り曲げ部１４は前方突出部１３の先端部からプレス折り曲げ加工により斜め上方に折り曲げられている一方、前記第二の折り曲げ部１５は前方突出部１３の先端部からプレス折り曲げ加工により斜め下方に折り曲げられている。
【００２４】
次に、この取付金具１による外壁板２の取付構造の例を図１１および１２を用いて説明する。図１１および１２は、所謂横貼りを行う場合の取り付け方法を示している。また、この例では、胴縁または間柱等の下地材である介装材１０を介して建物躯体３に取付金具１を取り付けることとしている。各外壁板２の上端部には、その外面側を切り欠くことにより第一の実部１６が形成されている一方、外壁板２の下端部（図１２参照）には、その内面側を切り欠くことにより第二の実部１７が形成されている。また、各外壁板２の下端部には、第二の実部１７の内面に接するようにして係合溝１８が形成されている。
【００２５】
この場合、まず図１１に示されるように、取付金具１の外壁板係合部９の第二の折り曲げ部１５と前方突出部１３と左右の開き部６および係合部支持部８との間に下段側の外壁板２の上端部の第一の実部１６が挿入されるようにして、下段側の外壁板２の上端部に取付金具１の外壁板係合部９を係合し、左右の開き部６および係合部支持部８を下段側の外壁板２の裏面に当接する。なお、このとき、取付金具１は、前方突出部１３が水平方向となる向きとするとともに、基板部４ａが介装材１０に当接した状態となるようにする。
【００２６】
次に、ビス穴１１を用いてビス１９により、図１２に示されるように取付金具１を介装材１０にビス留めし、取付金具１を介装材１０を介して建物躯体３に取り付ける。これにより、基板部４ａが介装材１０に沿わされた状態で、取付金具１が介装材１０に固定され、ひいてはこの取付金具１を介して下段側の外壁板２の上端部が建物躯体３に取り付けられる。続いて、上段側の外壁板２の下端部の係合溝１８内に取付金具１の第一の折り曲げ部１４を侵入させるとともに、上段側の外壁板２の下端部の係合溝１８より裏側の部分を外壁板係合部９の第一の折り曲げ部１４と前方突出部１３と左右の開き部６との間の部分に侵入させ、上段側の外壁板２の下端部が前方突出部１３上に載置されるようにして、上段側の外壁板２の下端部に取付金具１の外壁板係合部９を係合し、上段側の外壁板２の下端部を下段側の外壁板２の上端部に突き合わせる。
【００２７】
以後、同様にして順次下段側から上段側へと外壁板２を取り付けて行くことにより、外壁板２を互いに上下に突き合わせた状態で建物躯体３に取り付けて行くことができる（互いに突き合わされた外壁板２の上下端部間には取付金具１の外壁板係合部９の前方突出部１３が介在されている状態となる）。
【００２８】
このような取付状態において、前方突出部１３は、外壁板２の上下端部に対向ないしは当接され、上下方向の移動を防止する。また、左右の開き部６および係合部支持部８はそれぞれ外壁板２の裏面に当接され、外壁板２の建物躯体３側への移動を防止するとともに、外壁板２の裏面と介装材１０ひいては建物躯体３との間に一定の間隙を確保する。
【００２９】
なお、ここでは、所謂横貼りを行う場合について説明したが、所謂縦貼りを行う場合には、図１１および１２と比較し取付金具１を９０度回転した向き、すなわち前方突出部１３が鉛直方向となる向きにして、図１１および１２の場合と同様に取付金具１を使用して外壁板２を介装材１０を介して建物躯体３に取り付けることができる。
【００３０】
前記特許文献１の外壁板取付金具を含め、従来の外壁板取付金具においては、外壁板係合部は、その前方突出部が取付金具の強度上の主要構成部分から直接折り曲げられて、建物躯体と反対側に突出していたので、外壁板の厚さ方向および外壁板の突き合わせ方向となる方向に関する柔軟性が乏しかった。また、特許文献２の取付金具においては、取付金具の強度上の主要構成部分である絞り加工された主部と外壁板係合部の前方突出部との間に係合部支持部が介在されているが、この係合部支持部は外壁板を柔軟に支持することには寄与していなかった。
【００３１】
しかるに、この外壁板取付金具１においては、取付金具１の強度上の主要構成部分である主部４の一端の開口縁部付近から外壁板２によって構成されるべき壁面と平行になる方向かつ主部４の反対側端に向かって突出する係合部支持部８が設けられており、前方突出部１３は主部４から直接ではなく、この係合部支持部８の先端部から建物躯体３と反対側に突出するように折り曲げられているので、図９に一点鎖線および矢印で示したように、係合部支持部８が主部４側の端部付近を中心として弾性曲げ変形することにより、外壁板係合部９は外壁板２の厚さ方向に弾性変位できる。さらに係合部支持部８の彎曲等の他の形式の弾性変形や、前方突出部１３の弾性変形のため、外壁板係合部９は外壁板２の突き合わせ方向（本実施例の場合、鉛直方向）にも弾性変位できる。したがって、外壁板係合部９は外壁板２の厚さ方向および突き合わせ方向に関し外壁板２を柔軟に支持するので、強風等により外壁板２に大きな力が作用しても、外壁板２が割れてしまう虞を低減するとともに、大きな地震等により大きな衝撃が作用しても、その衝撃を吸収することができる（なお、図９の一点鎖線は、理解を容易にするために外壁板係合部９の変形を誇張して大きく示したものであり、通常は実際にそのように大きく変形する訳ではない）。
【００３２】
その上、本実施例では、係合部支持部８は主部４に直接連続しておらず、係合部支持部８と主部４との間にさらに係合部側周壁延長部７が介在されているので、この係合部側周壁延長部７の弾性変形により、外壁板係合部９の外壁板２の厚さ方向および外壁板２の突き合わせ方向の弾性変位をより一層大きくすることができるので、これらの方向に関し外壁板２を一層柔軟に支持させることができる。
【００３３】
そして、取付金具１の強度上の主要構成部分であり、建物躯体３に直接または介装材１０を介して取り付けられる主部４は、プレス絞り加工により形成されているので、取付金具１のうちの大きな強度および剛性が必要とされる部分には、要求される通りに大きな強度および剛性を確保することができる。
【００３４】
さらに本実施例では、開き部側周壁延長部５がプレス絞り加工された主部４の縁部から建物躯体３と反対側に延長するように主部４外に設けられており、この開き部側周壁延長部５の先端部に開き部６が設けられているので、これによっても外壁板取付金具１が外壁板２を柔軟に支持する。このため、より一層、強風等により外壁板２に大きな力が作用しても、外壁板２が割れてしまう虞を低減するとともに、大きな地震等により大きな衝撃が作用しても、その衝撃を吸収するようにすることができる。
【００３５】
なお、本実施例において、水抜き穴２０は取付金具１内に侵入した雨水が外部に排出されるようにするのに役立つ。
【実施例２】
【００３６】
図１３〜１８は、本発明の実施例２を示している。本実施例においては、主部４の上端には周壁部４ｂが設けられておらず、主部４が完全な容器状となっていない。このため、実施例１のように主部４が全周に周壁部４ｂを有しており、主部４が完全な容器状となっている場合よりは主部４の強度が弱くなる。しかし、主部４の絞り加工が容易になり、割れ等の欠陥の発生の減少および使用材料量の低減を図ることができるとともに、能力の小さなプレス機械が使用可能となる等の利点が得られる。
【００３７】
なお、図１４は、本実施例における主部４（プレス絞り加工部分）の範囲を明確にするため、取付金具１の斜視図において、主部４に網線を施した図である。
【００３８】
他の構成は実施例１と同様であり、実施例１と同様の作用効果を得ることができる。
【実施例３】
【００３９】
図１９〜２９は、本発明による取付金具１の実施例３を示している。なお、図２１および２２は、本実施例における主部４（プレス絞り加工部分）の範囲を明確にするため、取付金具１の斜視図において、主部４に網線を施した図である。
【００４０】
本実施例においては、主部４の周壁部４ｂに比較的に大きな穴２１が設けられている。この穴２１は、主部４の絞り加工を行う前に、取付金具１のブランク（素材金属板）の対応する位置に対応する形状の穴を設けておくことにより形成されている。このような穴２１が設けられていることにより、該穴２１がない場合よりは主部４の強度が弱くなる。しかし、主部４の絞り加工が容易になり、割れ等の欠陥の発生の減少および使用材料量の低減を図ることができるとともに、能力の小さなプレス機械が使用可能となる等の利点が得られる。そして、穴２１は水抜き穴として利用できる。
【００４１】
また、本実施例においては、実施例１および２における開き部側周壁延長部５、係合部側周壁延長部７および切れ目部１２は設けられていない。そして、主部４の開口縁部に開き部６および係合部支持部８がそれぞれ直接連続している。このため、開き部側周壁延長部および係合部側周壁延長部の弾性変形により、外壁板取付金具１に外壁板２を一層柔軟に支持させるようにすることができるという作用効果は得られない。ただし、本実施例においても、実施例１および２と同様に、開き部側周壁延長部５、係合部側周壁延長部７および切れ目部１２を設けてもよい。
【００４２】
他の構成は実施例１と同様であり、実施例１と同様の作用効果を得ることができる。
【００４３】
なお、前記各実施例では、左右の開き部６および係合部支持部８が外壁板２の裏面に当接される外壁板裏面当接部を構成しているが、本発明においては、外壁板裏面当接部（外壁板２の裏面に当接される部分）は存在しさえすればよく、外壁板裏面当接部の構成自体は実施例と異なってもよい。例えば、係合部支持部８を実施例における開き部６より建物躯体３側に引っ込んだ位置に設け、開き部６のみが外壁板裏面当接部を構成し、係合部支持部８は外壁板裏面当接部を構成しないようしてもよいし、実施例における開き部６を設けず、主部４の開口縁を外壁板裏面当接部としてもよい。
【００４４】
また、前記各実施例においては、主部４に外壁板取付金具１を建物躯体３側にビス留めするためのビス穴１１を設けているが、ビス穴に代えて、外壁板取付金具を建物躯体側に釘留めするための釘穴を設けてもよいし、主部にビス穴と釘穴とを併設してもよい。
【産業上の利用可能性】
【００４５】
以上のように本発明による外壁板取付金具は、外壁板を建物躯体に取り付けるための外壁板取付金具として有用である。
【符号の説明】
【００４６】
１    外壁板取付金具
２    外壁板
３    建物躯体
４    主部
４ａ  基板部
４ｂ  周壁部
５    開き部側周壁延長部
６    開き部（外壁板裏面当接部）
７    係合部側周壁延長部
８    係合部支持部（外壁板裏面当接部）
９    外壁板係合部
１０    介装材
１１    ビス穴
１３    前方突出部
１４    第一の折り曲げ部
１５    第二の折り曲げ部
１９    ビス
【図１】
2014001535.tif 000003
【図２】
2014001535.tif 000004
【図３】
2014001535.tif 000005
【図４】
2014001535.tif 000006
【図５】
2014001535.tif 000007
【図６】
2014001535.tif 000008
【図７】
2014001535.tif 000009
【図８】
2014001535.tif 000010
【図９】
2014001535.tif 000011
【図１０】
2014001535.tif 000012
【図１１】
2014001535.tif 000013
【図１２】
2014001535.tif 000014
【図１３】
2014001535.tif 000015
【図１４】
2014001535.tif 000016
【図１５】
2014001535.tif 000017
【図１６】
2014001535.tif 000018
【図１７】
2014001535.tif 000019
【図１８】
2014001535.tif 000020
【図１９】
2014001535.tif 000021
【図２０】
2014001535.tif 000022
【図２１】
2014001535.tif 000023
【図２２】
2014001535.tif 000024
【図２３】
2014001535.tif 000025
【図２４】
2014001535.tif 000026
【図２５】
2014001535.tif 000027
【図２６】
2014001535.tif 000028
【図２７】
2014001535.tif 000029
【図２８】
2014001535.tif 000030
【図２９】
2014001535.tif 000031